(57)【要約】【課題】メインテナンス時における筐体内部の回路基板へのアクセスを容易にするとともに、メインテナンス後に上側ケースを閉じる際のメインテナーの安全を確保する。【解決手段】音響調整コンソールの下側側板３２には、上側ケース２０の前後方向への移動を案内する受け部７３が設けられ、上側側板２２には、受け部７３に載置されるスライド部７１が設けられ、受け部７３とスライド部７１とにより下側ケース３０に対して上側ケース２０が前後方向にスライド可能に支持されており、上側側板２２及び下側側板３２には、上側ケース２０を下側ケース３０に対して最も前進させた位置において、上側ケース２０を下側ケース３０の前端部回りに回動可能に支持する回動機構４０が設けられるとともに、上側ケース２０を下側ケース３０に対して最も後退させた位置において、上側ケース２０と下側ケース３０とを固定する固定部材が設けられる。【選択図】      図１
2016127159.tif 000002
【特許請求の範囲】
【請求項１】
操作面と該操作面の両側部から立設された上側側板とを有する上側ケースと、底板と該底板の両側部から立設された下側側板とを有する下側ケースとを備え、
前記下側側板には、前記上側ケースの前後方向への移動を案内する受け部が設けられ、
前記上側側板には、前記受け部に載置されるスライド部が設けられ、
前記受け部と前記スライド部とにより前記下側ケースに対して前記上側ケースが前後方向にスライド可能に支持されており、
前記上側側板及び前記下側側板には、前記上側ケースを前記下側ケースに対して最も前進させた位置において、前記上側ケースを前記下側ケースの前端部回りに回動可能に支持する回動機構が設けられるとともに、前記上側ケースを前記下側ケースに対して最も後退させた位置において、前記上側ケースと前記下側ケースとを固定する固定部材が設けられることを特徴とする音響調整コンソール。
【請求項２】
前記回動機構は、前記上側側板又は前記下側側板のいずれか一方に設けられた回転軸と、他方に設けられ前記回転軸に前記最も前進させた位置で係合する軸受とにより構成されることを特徴とする請求項１に記載の音響調整コンソール。
【請求項３】
前記軸受には、前記上側ケースの前方向へのスライドの際に、前記上側ケースの前部を持ち上げて、前記回転軸と前記軸受の高さを合わせるための傾斜部が形成されることを特徴とする請求項２に記載の音響調整コンソール。
【請求項４】
前記上側ケースには、前記下側ケースの前面側を覆って筐体の前面部を構成する前板が設けられることを特徴とする請求項１から３のいずれか一項に記載の音響調整コンソール。
【発明の詳細な説明】
【技術分野】
【０００１】
本発明は、ミキシングコンソール等の音響調整コンソールに関する。
【背景技術】
【０００２】
一般に、オーディオ用のミキサー装置等の音響調整機器の筐体構造は、上面に操作面を形成した上側ケースと、前板部、背板部、左側板部、右側板部及び底板部を有した下側ケースとにより構成され、上側ケースは、下側ケースの上部を覆うように装着されている。また、音響調整機器の操作面は、例えば特許文献１及び特許文献２に開示されているように、前方下がりに設けられることが多く、操作面を有する上側ケースの後方側において、下側ケースとの間に多くの回路基板等が収容される。
【０００３】
この点、このような音響調整機器のメインテナンス時においては、下側ケースに対して上側ケースを分離させて開く構成とすることもできるが、回路基板が多く収納された操作面の後方側だけを開いて作業を行うことができれば効率的である。そこで、図９に示すように、上側ケース２を下側ケース３に対して回転軸４を介して接続しておき、上側ケース２を下側ケース３から分離することなく、メインテナンス時に上側ケース２を回転軸４回りに起こすことによって開いて、筐体内部の回路基板６に容易にアクセス可能とした構造が採用されている。
【先行技術文献】
【特許文献】
【０００４】
【特許文献１】特開２０１０‐１７１２２７号公報
【特許文献２】特開２００８‐２０５５８２号公報
【発明の概要】
【発明が解決しようとする課題】
【０００５】
ところが、このような音響調整機器は、一般に、外部からの電界や磁界のシールドのために、筐体を構成するハウジング（上側ケース及び下側ケース）が金属板によって構成される。また、上側ケースには、特許文献１に記載されるように、表示画面や操作子等が取り付けられるため、比較的重くなっており、メインテナンス後に上側ケースを回転軸回りに回転して閉じる際、その回転の最後に、上側ケースの重さにより下側ケースとの間にメインテナー（機器の保守作業者）が不用意に手を挟んでしまうおそれがある。
また、上側ケースを開いた状態でメインテナンスを行う際においても、下側ケースの両側板部の高さが高く、回路基板等にアクセスし難いことも問題となっている。
【０００６】
本発明は、このような事情に鑑みてなされたもので、メインテナンス時における筐体内部の回路基板へのアクセスを容易にでき、メインテナンス後に上側ケースを閉じる際のメインテナーの安全が確保された音響調整コンソールを提供することを目的とする。
【課題を解決するための手段】
【０００７】
本発明の音響調整コンソールは、操作面と該操作面の両側部から立設された上側側板とを有する上側ケースと、底板と該底板の両側部から立設された下側側板とを有する下側ケースとを備え、前記下側側板には、前記上側ケースの前後方向への移動を案内する受け部が設けられ、前記上側側板には、前記受け部に載置されるスライド部が設けられ、前記受け部と前記スライド部とにより前記下側ケースに対して前記上側ケースが前後方向にスライド可能に支持されており、前記上側側板及び前記下側側板には、前記上側ケースを前記下側ケースに対して最も前進させた位置において、前記上側ケースを前記下側ケースの前端部回りに回動可能に支持する回動機構が設けられるとともに、前記上側ケースを前記下側ケースに対して最も後退させた位置において、前記上側ケースと前記下側ケースとを固定する固定部材が設けられることを特徴とする。
【０００８】
このように構成される本発明の音響調整コンソールにおいては、メインテナンス時に上側ケースを起こす場合、まず上側ケースを下側ケースに対して前方にスライド（前進）することで、上側ケースの後端部と下側ケースの後端部との間に隙間が形成される。そして、上側ケースを下側ケースに対して最も前進させた位置までスライドした後、上側ケースの後端部を上方に持ち上げて、上側ケースを下側ケースの前端部回りに回転させることで、上側ケースと下側ケースとを分離することなく、筐体内部を開くことができる。この上側ケースの後端部を持ち上げる際、その後端部には上側ケースと下側ケースとの間に隙間が形成されていることから、メインテナーは隙間に容易に手を入れて上側ケースの背面をつかむことが可能となっており、そのまま持ち上げることができる。
一方、メインテナンス後に上側ケースを閉じる際には、上側ケースの後端部を下方に降ろして回動させ、スライド部を受け部に載置する。この際、上側ケースの後端部を下方に降ろした状態では、下側ケースとの間に隙間が設けられる。このため、メインテナーの手が、上側ケースと下側ケースとの間に挟まれることがなく、上側ケースを閉じる際のメインテナーの安全を確保することができる。なお、この状態から上側ケースを下側ケースに対して後方にスライド（後退）することで、上側ケースと下側ケースとの間の隙間を閉じることができ、上側ケースと下側ケースとはネジ等の固定部材により固定することができる。
また、上側ケースと下側ケースには、それぞれに筐体の側部を形成する側板（上側側板、下側側板）が設けられ、側板が上側ケースの上側側板と下側ケースの下側側板とで分担して設けられている。このため、上側側板及び下側側板の高さを低く設けることができる。したがって、本発明の音響調整コンソールにおいては、メインテナンス時における筐体内部の回路基板へのアクセスを容易に行うことができる。
【０００９】
本発明の音響調整コンソールにおいて、前記回動機構は、前記上側側板又は前記下側側板のいずれか一方に設けられた回転軸と、他方に設けられ前記回転軸に前記最も前進させた位置で係合する軸受とにより構成される。
回動機構を構成する回転軸と軸受とは、いずれかを上側側板又は下側側板に設ける構成とすることもできる。
【００１０】
本発明の音響調整コンソールにおいて、前記軸受には、前記上側ケースの前方向へのスライドの際に、前記上側ケースの前部を持ち上げて、前記回転軸と前記軸受の高さを合わせるための傾斜部が形成される。
上側ケースを前方向にスライドする途中で、回転軸と接触する傾斜部が設けられており、回転軸と軸受とが係合した状態において、上側ケースがやや上方に持ち上がるように配置される。これにより、回転時に上側ケースの前側が設置台に接触しにくくなり、上側ケースをより大きな角度まで開くことができる。
【００１１】
本発明の音響調整コンソールにおいて、前記上側ケースには、前記下側ケースの前面側を覆って筐体の前面部を構成する前板が設けられる。
上側ケースを下側ケースに対して前方移動させた後に、上側ケースを下側ケースに対して回動させることとしているので、上側ケースの前板部と下側ケースとの間に隙間が設けられ、上側ケースの回動時において前板が下側ケースと接触することがない。このため、上側ケースの前板により筐体の前面部を構成することができる。この場合、前板により下側ケースの前面側が覆われているので、筐体の正面側から下側ケースの前面側を隠すことができる。したがって、上側ケースにのみ塗装を施せば良く、下側ケースの塗装を省略することができる。
【発明の効果】
【００１２】
本発明によれば、メインテナンス時における筐体内部の回路基板へのアクセスを容易にでき、メインテナンス後に上側ケースを閉じる際のメインテナーの安全を確保することができる。
【図面の簡単な説明】
【００１３】
【図１】本発明の一実施形態に係る音響調整コンソールのメインテナンスのために開かれた状態の正面図及び側面図である。
【図２】図１に示すＡ‐Ａ線に沿う部分に相当する部分の断面図であり、組み立てられた状態（使用時）の音響調整コンソールの上側ケースを閉じた状態を示す。
【図３】図２に示す音響調整コンソールの上側ケースを前方にスライドさせた状態を説明する断面図である。
【図４】図２に示す音響調整コンソールの上側ケースを持ち上げて筐体内部を開いた状態を説明する断面図である。
【図５】図２に示す音響調整コンソールの上側ケースと下側ケースとを分離した状態を示す断面図である。
【図６】スライド部及び受け部の要部拡大図である。
【図７】音響調整コンソールの前端部における要部断面図であり、回転軸と軸受とを係合させた状態を示す。
【図８】音響調整コンソールの前端部における要部断面図であり、上側ケースと下側ケースとを分離させた状態を示す。
【図９】従来の音響調整機器の筐体構造を説明する断面図である。
【発明を実施するための形態】
【００１４】
以下、本発明に係る音響調整コンソールの実施形態について説明する。
本実施形態の音響調整コンソール１０は、例えばデジタルミキサーとして構成されるものであり、図１の左図に示すように、筐体上面の操作面１１に複数の操作子１２やディスプレイ１３を備え、図示は省略するが、オーディオケーブル等を着脱自在に接続し、当該オーディオケーブル等を介して他の電子音響機器に接続された状態で使用される。
【００１５】
また、音響調整コンソール１０は、卓面上等に設置して据え置き使用されるものであり、本明細書における音響調整コンソール１０の上下方向は、据え置き使用時における上下方向とする。音響調整コンソール１０の使用時においては、筐体上面の操作面１１の前方側（図２の左側）にオペレータ（操作者）が位置する。したがって、以降、特に断らないときは、操作面１１の前方側を音響調整コンソール１０の前側、操作面１１の後方側（図２の右側）を音響調整コンソール１０の後側とする。
【００１６】
音響調整コンソール１０は、図２に示すように、上面側に操作面１１を有し、下面側に脚部１９を有する。そして、音響調整コンソール１０の筐体は、図５に示すように、操作面１１を構成する上側ケース２０と、脚部１９が設けられる底板３１を有する下側ケース３０とから構成される。なお、これら上側ケース２０及び下側ケース３０は、鉄、アルミニウム等の金属板を折り曲げ加工して形成される。
また、上側ケース２０と下側ケース３０には、回動機構４０が設けられており、図１に示すように、上側ケース２０と下側ケース３０とを分離することなく、上側ケース２０の後端部を上方に持ち上げて、上側ケース２０を下側ケース３０の前端部回りに回転させることにより、筐体内部を開くことができる。
【００１７】
上側ケース２０は、図１〜図５に示すように、筐体上面部を形成する操作面１１と、この操作面１１の両側部から立設された上側側板２２と、操作面１１の前端に立設されて両側の上側側板２２の間を連結して設けられる前板２３と、操作面１１の後端に立設されて両側の上側側板２２の間を連結して設けられる上側後板２４とを備え、上面を構成する操作面１１と、前後左右の側面を構成する上側側板２２、前板２３及び上側後板２４とにより、下部を開口した箱状に設けられる。なお、音響調整コンソール１０の筐体の前面部は、図２に示すように、上側ケース２０の前板２３により構成される。
【００１８】
操作面１１は、図１に示すように、音響調整コンソール１０の後部側が高く、前部側が低く、全体として前方下がりに傾斜して形成される。また、操作面１１は、入力チャンネルにおける音声信号処理のパラメータの値を調整するための複数の操作子１２を備えるチャンネルストリップが複数列並んで設けられた操作盤５１と、任意の情報を表示可能なディスプレイ１３や各種操作子等（マスターボリューム等）を備えるディスプレイ盤５２と、操作盤５１とディスプレイ盤５２とを接続する段差面５３とを有しており、段差面５３を介して操作盤５１が下段、ディスプレイ盤５２が上段となる段差形状に設けられている。なお、ディスプレイ盤５２の一部には、図１に示すように、タブレット端末等の物品を載置可能な平坦なブランク領域５４が設けられている。
【００１９】
また、操作面１１において、操作盤５１は略水平もしくは段差面５３側が高くなるように、僅かに傾斜して設けられている。一方、ディスプレイ盤５２は段差面５３側が低くなるように、ディスプレイ１３の表面が水平面に対して傾斜するように形成されている。
換言すると、操作面１１において、操作盤５１の一端から起立するディスプレイ盤５２の下端部に、操作盤５１の上面からくぼんでディスプレイ盤５２に接続する段差面５３が設けられている。このため、ディスプレイ盤５２上に物品を載置しようとした場合、物品は段差面５３によって支えられる状態となる。
【００２０】
また、上側ケース２０の前板２３は、操作面１１の操作盤５１に連続して設けられ、前板２３と操作面１１との境目は、直線状の山折りに設けられる。そして、前板２３は、図２に示すように、下端部にかけて筐体内側に傾斜して折り曲げられた形状とされ、下側ケース３０の前面側を覆って筐体の前面部を構成する。また、上側後板２４は、操作面１１のディスプレイ盤５２に連続して設けられ、この上側後板２４と操作面１１との境目も、直線状の山折りに設けられる。そして、この上側後板２４の先端部は、その幅方向に沿って内側に折り曲げられた重ね部２４ａが設けられている。この重ね部２４ａは、図２に示すように、上下方向に沿って垂直に設けられており、下側ケース３０の下側後板３４の内面に当接して配置され、この下側後板３４と上側後板２４の重ね部２４ａとがネジ止め固定されるようになっている。
【００２１】
なお、各種操作子１２等は、上側ケース２０の背面側に配置される回路基板６１上に取り付けられており、操作面１１には、これら操作子１２等を露出させるための複数の孔やスリットが形成される。また、図示は省略するが、操作面１１の背面においては、操作盤５１の裏面に取り付けられる回路基板６１と、ディスプレイ盤５２の裏面に取り付けられる回路基板（図示略）とが、段差面５３をまたいで結線される。
【００２２】
上側側板２２は、操作面１１の両側部から直角に立設して設けられ、上側側板２２の先端側（下端側）が、板厚分だけ筐体内側に押し込まれたクランク形状に折り曲げて形成されており、上側ケース２０が下側ケース３０に取り付けられたときに、この押し込まれた下帯部２２ａと後述する下側ケース３０の下側側板３２とが重ね合わされて配置されるようになっている。また、下帯部２２ａの先端部（下端部）には、下側ケース３０と当接して載置されるスライド部７１が設けられるとともに、スライド部７１を除いた下帯部２２ａの先端部に、下帯部２２ａの下側ケース３０への挿入を案内するガイド板部７２が設けられる。スライド部７１は、下帯部２２ａの先端部を一部略水平に切欠いた形状に設けられており、ガイド板部７２は、下帯部２２ａのその他のスライド部７１よりも下方に突出している先端部を内側に折り曲げて、筐体内側にくい込むように傾斜させて形成される。なお、スライド部７１は、両側の上側側板２２にそれぞれ３箇所ずつ設けられている。
【００２３】
一方、下側ケース３０は、図１〜図５に示すように、脚部１９を有する底板３１と、この底板３１の両側部から立設された下側側板３２と、底板３１の後端側に立設されて両側の下側側板３２の間を連結して設けられる下側後板３４とを備える。また、これら下側側板３２及び下側後板３４は、底板３１から直角に立設して設けられる。
そして、下側側板３２には、上側ケース２０のスライド部７１を載置して、上側ケース２０の前後方向への移動を案内する受け部７３が設けられている。受け部７３は、下側側板３２の一部に切込みを入れ、筐体内側に倒すことにより形成される。そして、受け部７３にスライド部７１を載置することで、下側ケース３０に対して上側ケース２０が前後方向にスライド可能（進退可能）に支持される。
【００２４】
なお、本実施形態の音響調整コンソール１０においては、図６に示すように、上側ケース２０のスライド部７１は、下側ケース３０の受け部７３よりも前後方向に長く設けられているが、受け部７３をスライド部７１と同じ長さ、ないし、スライド部７１よりも長くなるように設計することもできる。
【００２５】
そして、回動機構４０は、図２及び図４に示すようにこれら上側ケース２０と下側ケース３０の前部側に設けられる。回動機構４０は、図７及び図８に示すように、下側ケース３０の下側側板３２に設けられた回転軸４１と、上側ケース２０の上側側板２２（下帯部２２ａ）に設けられ、回転軸４１に係合する軸受４２とにより構成される。
回転軸４１は、下側側板３２の前端部において筐体内側に向けて立設して設けられる。この場合、回転軸４１は、上側ケース２０の両側に設けられた下側側板３２のそれぞれに、突起部材を取り付けることにより形成されるが、回転軸４１の配置及び形状は、これに限定されるものではない。例えば、両側の下側側板３２を連結するシャフトを設け、このシャフトにより回転軸を構成しても良いし、下側側板３２自体に加工（板金曲げ加工や穴あけ加工）を施すことにより、突起状の回転軸を一体に形成してもよい。
【００２６】
軸受４２は、上側側板２２の前端部に設けられた逃げ溝部４５の一端部に半円弧状の形態に設けられており、上側ケース２０を前方にスライドさせて下側ケース３０に対して最も前進させた位置、すなわち図３に示す位置において、回転軸４１の側面と当接して、回転軸４１と軸受４２とが係合するようになっている。そして、このように回転軸４１と軸受４２とが係合した状態では、上側ケース２０は下側ケース３０の回転軸４１回りに回動可能に支持され、上側ケース２０を下側ケース３０の前端部回りに容易に開閉することができる。
【００２７】
一方、上側ケース２０を後方にスライドさせて下側ケース３０に対して最も後退させた位置、すなわち図２に示す位置においては、軸受４２は回転軸４１から離間して設けられる。
なお、逃げ溝部４５には、上側ケース２０を後方向へスライドした時は回転軸４１と接触せず、前方向にスライドする途中で回転軸４１と接触し、そのスライドを続けることで、上側ケース２０が持ち上がり、軸受４２が回転軸４１に導かれるように、傾斜部４６が設けられている。このようにして、回転軸４１と軸受４２とが係合した状態において、上側ケース２０がやや上方に持ち上がるように配置したことにより、回転時に前板２３が設置台に接触しにくくなり、より大きな角度まで開けるようになる。
【００２８】
また、上側側板２２には、下側側板３２をネジ（本発明でいう、固定部材）でネジ止めするための取付孔２５が設けられており、下側側板３２には、ネジを挿通するための複数の貫通孔３５が設けられている。そして、上側ケース２０を下側ケース３０に対して最も後退させた位置において、これら上側側板２２の取付孔２５と下側側板３２の貫通孔３５とが連通して配置される。このため、上側ケース２０を後方にスライドさせて下側ケース３０に対して最も後退させた位置において、上側側板２２と下側側板３２とをネジ止めして、固定することができる。このネジ止めされた状態が、組み立てられた状態（使用時）である。
【００２９】
なお、音響調整コンソール１０の筐体内部の後方側には、水平面に対して傾斜したディスプレイ盤５２と底板３１との間に形成される比較的高さが大きい空間が形成されており、この空間内に入出力端子を備える回路基板６２，６３が、上下方向に積層して取り付けられ、効率良く配置される。
【００３０】
このように構成される音響調整コンソール１０おいて、メインテナーが上側ケース２０を起こして筐体内部のメインテナンスを行おうとするときには、まず、図３に示すように、上側ケース２０を下側ケース３０に対して前方にスライド（前進）する。この際、上側ケース２０と下側ケース３０とは、複数のネジにより固定されていることから、ネジを取り外した後に、上側ケース２０を下側ケース３０に対してスライドする。このように、上側ケース２０を前方にスライドすることで、上側ケース２０の後端部と、下側ケース３０の後端部との間が徐々に開いて、図３に示すように、隙間Ｂが形成される。そして、上側ケース２０を下側ケース３０に対して最も前進させた位置までスライドすると、回転軸４１に軸受４２が当接して、回転軸４１と軸受４２とが係合する。これにより、上側ケース２０が下側ケース３０の回転軸４１回りに回動可能に支持される。この状態では、上側ケース２０の後端部と下側ケース３０の後端部の間に隙間Ｂが形成されているので、メインテナーは、上側ケース２０と下側ケース３０との間の隙間Ｂに容易に手を入れて、上側ケース２０の背面をつかむことが可能であり、そのまま上側ケース２０の後端部を持ち上げて、上側ケース２０と下側ケース３０とを分離することなく、筐体内部を開くことができる。そして、メインテナーは、開かれた上側ケース２０と下側ケース３０との間にステーを入れて、その開いた状態を固定して、筐体内部のメインテナンスを行うことができる。
【００３１】
一方、メインテナンスが終わって上側ケース２０を閉じる際には、メインテナーは、まず、上側ケース２０の後端部を下方に降ろして回動させ、上側ケース２０のスライド部７１を、下側ケース３０の受け部７３に載置する。この際、上側ケース２０の後端部を降ろしてスライド部７１と受け部７３とを接置させた状態では、上側ケース２０の後端部と下側ケース３０の後端部との間に隙間Ｂが設けられている。このため、メインテナーの手が、上側ケース２０と下側ケース３０との間に挟まれることがなく、上側ケース２０を閉じる際のメインテナーの安全を確保することができる。
【００３２】
そして、この隙間Ｂが開いた状態から上側ケース２０を下側ケース３０に対して後方にスライド（後退）することで、回転軸４１から軸受４２を離脱させるとともに、上側ケース２０と下側ケース３０との間の隙間Ｂを閉じることができ、上側ケース２０と下側ケース３０とをネジにより固定することができる。
このように、以上説明した本実施形態の音響調整コンソール１０においては、メインテナーが上側ケース２０の背面に安全かつ容易に手を入れて開閉できるため、内部のメインテナンスを容易に行うことができる。
【００３３】
また、この音響調整コンソール１０においては、回転軸４１と逃げ溝部４５との間の隙間に傾斜部４６が形成されており、上側ケース２０を前進させるにしたがって軸受４２が持ち上がり、より高い位置に設けられた回転軸４１と係合する。これにより、上側ケース２０の回転時に前板２３が設置台に接触しにくくなり、より大きな角度まで開くことができる。
【００３４】
また、この音響調整コンソール１０においては、上側ケース２０と下側ケース３０のそれぞれに筐体の側部を形成する側板（上側側板２２、下側側板３２）が設けられ、筐体の側板が上側ケース２０の上側側板２２と下側ケース３０の下側側板３２とで分担して設けられている。このため、上側側板２２及び下側側板３２の高さが低く設けられており、メインテナンス時における筐体内部の回路基板へのアクセスを容易に行うことができる。
【００３５】
さらに、上述したように、メインテナンス時において、上側ケース２０を下側ケース３０に対して前方移動させた後に、上側ケース２０を下側ケース３０に対して回動させることとしているので、図２及び図３に示すように、上側ケース２０の前板２３と下側ケース３０の前端部との間に隙間Ｃが設けられ、上側ケース２０の回動時において前板２３が下側ケース３０と接触することがない。このため、上側ケース２０の前板２３により筐体の前面部を構成することができる。この場合、前板２３により下側ケース３０の前面側が覆われているので、筐体の正面側から下側ケース３０の前面側を隠すことができる。したがって、上側ケース２０にのみ塗装を施せば良く、下側ケース３０の塗装を省略することができる。
【００３６】
なお、本発明は前記実施形態の構成のものに限定されるものではなく、細部構成においては、本発明の趣旨を逸脱しない範囲において種々の変更を加えることが可能である。
例えば、前記実施形態では、下側側板３２に回転軸４１を設け、上側側板２２に軸受４２を設けた回動機構４０を構成としていたが、回転軸４１を上側側板２２に設け、軸受４２を下側側板３２に設ける構成とすることもできる。
また、前記実施形態では、回動機構４０を、音響調整コンソール１０の前方側に設けて、後方側を開く構成としていたが、後方側に回転機構を設けて前方側を開く構成としても良いし、側方側に回転機構を設けて反対側の側方側を開く構成としても良い。さらに、前記実施形態では、音響コンソール１０の設置状態において、操作面１１を有する上側ケース２０を上方に配置する構成で説明を行ったが、音響コンソール１０は、操作面１１、すなわち上側ケース２０を側方に向けるように立設させてもよい。
【符号の説明】
【００３７】
２…上側ケース、３…下側ケース、４…回転軸、６…回路基板、１０…音響調整コンソール、１１…操作面、１２…操作子、１３…ディスプレイ、１９…脚部、２０…上側ケース、２２…上側側板、２２ａ…下帯部、２３…前板、２４…上側後板、２４ａ…重ね部、２５…取付孔、３０…下側ケース、３１…底板、３２…下側側板、３４…下側後板、３５…貫通孔、４０…回動機構、４１…回転軸、４２…軸受、４５…逃げ溝部、４６…傾斜部、５１…操作盤、５２…ディスプレイ盤、５３…段差面、５４…ブランク領域、６１，６２，６３…回路基板、７１…スライド部、７２…ガイド板部、７３…受け部
【図１】
2016127159.tif 000003
【図２】
2016127159.tif 000004
【図３】
2016127159.tif 000005
【図４】
2016127159.tif 000006
【図５】
2016127159.tif 000007
【図６】
2016127159.tif 000008
【図７】
2016127159.tif 000009
【図８】
2016127159.tif 000010
【図９】
2016127159.tif 000011